(57)【要約】【課題】地中熱交換器による採熱量を事後的に増強することができる地中熱交換器の採熱量増強方法および装置を提供する。【解決手段】地中熱ヒートポンプシステムに備わる地中熱交換器１０の採熱量を増強する方法であって、地中熱交換器１０が埋設されている第一帯水層１ではない第三帯水層３から取水し、取水した水を第一帯水層１に注水するようにする。ここで、地中熱交換器１０が埋設されている第一帯水層１から取水し、取水した水を第一帯水層１よりも下側にある第二帯水層２に還元する一方、第一帯水層１から取水した水量相当の水を第二帯水層２よりも下側にある第三帯水層３から揚水し、第一帯水層１に還元してもよい。【選択図】図１
2015218935.tif 000002
【特許請求の範囲】
【請求項１】
地中熱ヒートポンプシステムに備わる地中熱交換器の採熱量を増強する方法であって、地中熱交換器が埋設されている帯水層ではない層から取水し、取水した水を前記帯水層に注水することを特徴とする地中熱交換器の採熱量増強方法。
【請求項２】
地中熱ヒートポンプシステムに備わる地中熱交換器の採熱量を増強する方法であって、地中熱交換器が埋設されている第一帯水層から取水し、取水した水を第一帯水層よりも下側にある第二帯水層に還元する一方、第一帯水層から取水した水量相当の水を第二帯水層よりも下側にある第三帯水層から揚水し、第一帯水層に還元することを特徴とする地中熱交換器の採熱量増強方法。
【請求項３】
地中熱ヒートポンプシステムに備わる地中熱交換器の採熱量を増強する装置であって、地中熱交換器が埋設されている帯水層ではない層から取水する手段と、取水した水を前記帯水層に注水する手段とを有することを特徴とする地中熱交換器の採熱量増強装置。
【請求項４】
地中熱ヒートポンプシステムに備わる地中熱交換器の採熱量を増強する装置であって、地中熱交換器が埋設されている第一帯水層から取水する第一取水手段と、第一取水手段で取水した水を第一帯水層よりも下側にある第二帯水層に還元する第一還元手段と、第一帯水層から取水した水量相当の水を第二帯水層よりも下側にある第三帯水層から取水する第二取水手段と、第二取水手段で取水した水を第一帯水層に還元する第二還元手段とを有することを特徴とする地中熱交換器の採熱量増強装置。
【発明の詳細な説明】
【技術分野】
【０００１】
本発明は、地中から熱を取り出すクローズドタイプの地中熱ヒートポンプシステムに用いられるボアホール方式の地中熱交換器の採熱量増強方法および装置に関するものである。
【背景技術】
【０００２】
従来、地中から熱を取り出すために地中熱交換器内に流体を循環させ、汲み上げた熱をヒートポンプで必要な温度領域の熱に変換するクローズドタイプの地中熱ヒートポンプシステムが知られている（例えば、特許文献１〜５を参照）。この地中熱ヒートポンプシステムによって取り出された熱は、一般に冷暖房や給湯などの熱源として利用される。地中熱交換器内を循環させる流体としては通常、不凍液や水などの冷媒が用いられる。
【０００３】
地中熱交換器には、垂直型、水平型、傾斜型などがあり、垂直型のものとしては、掘削孔を利用するボアホール方式と基礎杭などを利用する杭方式とがある。ボアホール方式では通常、高密度ポリエチレンパイプ２本の先端部をＵ字状に接続したＵチューブと呼ばれる採放熱管がボアホールに挿入される。
【０００４】
Ｕチューブの型式としては、シングルＵチューブ型と、ダブルＵチューブ型とが普及している。シングルＵチューブ型は１本のボアホールに一組のＵチューブを挿入したものであり、ダブルＵチューブ型は１本のボアホールに二組のＵチューブを挿入したものである。
【０００５】
また、地盤の表層付近の帯水層で地下水流れが顕著な地形の場合には、スパイラル型などの単位深さ当たりの採熱量が大きい地中熱交換器が利用される場合がある。
【０００６】
ところで、表層付近で地下水流れが顕著な伏流水の多い地域や扇状地においては、地下水流は季節変動の影響を受ける場合が多い。例えば、雪解けによる流れの増大や梅雨時期の降雨による流れの増大などがある一方、渇水時期には、地下水流も減少傾向となる地域が多く存在する。例えば、夏から秋にかけての時期がこれに当たる場合もあるため、冷房時期と期間が重なる場合、地下水流不足による熱交換量の減少が懸念される。
【０００７】
一般的に、地中熱ヒートポンプシステムを計画する場合、サーマルレスポンステストなどで現地の熱抵抗を計測して熱交換器本数などを計画するが、通常は工事計画との兼ね合いで、計測は一回だけしか実施しない場合がほとんどである。この計測時期が地下水流速の大きな時期であると熱抵抗が通常期よりも小さく計測され、この結果を受けて計画される熱交換器の本数などが、本来必要であるべき本数などに達しない場合もある。この場合、この地中熱ヒートポンプシステムを適用した空調や工場のプロセス利用に支障をきたすおそれがある。
【０００８】
また、従来の地中熱ヒートポンプシステムでは、熱交換量が時期的に変動することが計画に反映されていない場合が多く、さらに、供用開始後に容量不足などの支障をきたしても有効な対応策がとられないことが多い。なお、このような場合には、供用中の地中熱ヒートポンプシステムに、通常の空気熱源式ヒートポンプシステムを付加的に設置して容量不足に対応する方策が考えられる。
【先行技術文献】
【特許文献】
【０００９】
【特許文献１】特表２０１３−５０８６５８号公報
【特許文献２】特開２０１３−４７６０６号公報
【特許文献３】特開２０１３−２４９９８２号公報
【特許文献４】特開２０１３−１４８２５５号公報
【特許文献５】特開２０１３−３６６８７号公報
【発明の概要】
【発明が解決しようとする課題】
【００１０】
このため、地中熱ヒートポンプシステムにおいて、地下水流速が低下する時期に起こる容量不足などに対処可能なように、地中熱交換器による採熱量を事後的に増強することが求められていた。
【００１１】
本発明は、上記に鑑みてなされたものであって、地中熱交換器による採熱量を事後的に増強することができる地中熱交換器の採熱量増強方法および装置を提供することを目的とする。
【課題を解決するための手段】
【００１２】
上記した課題を解決し、目的を達成するために、本発明に係る地中熱交換器の採熱量増強方法は、地中熱ヒートポンプシステムに備わる地中熱交換器の採熱量を増強する方法であって、地中熱交換器が埋設されている帯水層ではない層から取水し、取水した水を前記帯水層に注水することを特徴とする。
【００１３】
また、本発明に係る他の地中熱交換器の採熱量増強方法は、地中熱ヒートポンプシステムに備わる地中熱交換器の採熱量を増強する方法であって、地中熱交換器が埋設されている第一帯水層から取水し、取水した水を第一帯水層よりも下側にある第二帯水層に還元する一方、第一帯水層から取水した水量相当の水を第二帯水層よりも下側にある第三帯水層から揚水し、第一帯水層に還元することを特徴とする。
【００１４】
また、本発明に係る地中熱交換器の採熱量増強装置は、地中熱ヒートポンプシステムに備わる地中熱交換器の採熱量を増強する装置であって、地中熱交換器が埋設されている帯水層ではない層から取水する手段と、取水した水を前記帯水層に注水する手段とを有することを特徴とする。
【００１５】
また、本発明に係る他の地中熱交換器の採熱量増強装置は、地中熱ヒートポンプシステムに備わる地中熱交換器の採熱量を増強する装置であって、地中熱交換器が埋設されている第一帯水層から取水する第一取水手段と、第一取水手段で取水した水を第一帯水層よりも下側にある第二帯水層に還元する第一還元手段と、第一帯水層から取水した水量相当の水を第二帯水層よりも下側にある第三帯水層から取水する第二取水手段と、第二取水手段で取水した水を第一帯水層に還元する第二還元手段とを有することを特徴とする。
【発明の効果】
【００１６】
本発明に係る地中熱交換器の採熱量増強方法によれば、地中熱ヒートポンプシステムに備わる地中熱交換器の採熱量を増強する方法であって、地中熱交換器が埋設されている帯水層ではない層から取水し、取水した水を前記帯水層に注水するので、地中熱交換器が埋設されている帯水層に人工的な地下水流を形成することができる。これにより、地中熱交換器による採熱量を事後的に増強することができるという効果を奏する。また、地中熱交換器による熱交換によって温度上昇した（または温度低下した）地下水を取水して、これを地中熱交換器が埋設されている帯水層に還流させるものではないので、熱交換量の低下を生じさせるおそれはない。
【００１７】
また、本発明に係る他の地中熱交換器の採熱量増強方法によれば、地中熱ヒートポンプシステムに備わる地中熱交換器の採熱量を増強する方法であって、地中熱交換器が埋設されている第一帯水層から取水し、取水した水を第一帯水層よりも下側にある第二帯水層に還元する一方、第一帯水層から取水した水量相当の水を第二帯水層よりも下側にある第三帯水層から揚水し、第一帯水層に還元するので、地中熱交換器が埋設されている第一帯水層に人工的な地下水流を形成することができる。これにより、地中熱交換器による採熱量を事後的に増強することができるという効果を奏する。また、第三帯水層の安定した温度、水質の水を第一帯水層に還元することで第一帯水層の温度、水質を安定したものにすることができるという効果を奏する。
【００１８】
また、本発明に係る地中熱交換器の採熱量増強装置によれば、地中熱ヒートポンプシステムに備わる地中熱交換器の採熱量を増強する装置であって、地中熱交換器が埋設されている帯水層ではない層から取水する手段と、取水した水を前記帯水層に注水する手段とを有するので、地中熱交換器が埋設されている帯水層に人工的な地下水流を形成することができる。これにより、地中熱交換器による採熱量を事後的に増強することができるという効果を奏する。また、地中熱交換器による熱交換によって温度上昇した（または温度低下した）地下水を取水して、これを地中熱交換器が埋設されている帯水層に還流させるものではないので、熱交換量の低下を生じさせるおそれはない。
【００１９】
また、本発明に係る他の地中熱交換器の採熱量増強装置によれば、地中熱ヒートポンプシステムに備わる地中熱交換器の採熱量を増強する装置であって、地中熱交換器が埋設されている第一帯水層から取水する第一取水手段と、第一取水手段で取水した水を第一帯水層よりも下側にある第二帯水層に還元する第一還元手段と、第一帯水層から取水した水量相当の水を第二帯水層よりも下側にある第三帯水層から取水する第二取水手段と、第二取水手段で取水した水を第一帯水層に還元する第二還元手段とを有するので、地中熱交換器が埋設されている第一帯水層に人工的な地下水流を形成することができる。これにより、地中熱交換器による採熱量を事後的に増強することができるという効果を奏する。また、第三帯水層の安定した温度、水質の水を第一帯水層に還元することで第一帯水層の温度、水質を安定したものにすることができるという効果を奏する。
【図面の簡単な説明】
【００２０】
【図１】図１は、本発明に係る地中熱交換器の採熱量増強方法および装置の実施の形態を示す図である。
【発明を実施するための形態】
【００２１】
以下に、本発明に係る地中熱交換器の採熱量増強方法および装置の実施の形態を図面に基づいて詳細に説明する。なお、この実施の形態によりこの発明が限定されるものではない。
【００２２】
本発明に係る地中熱交換器の採熱量増強方法および装置は、地盤の浅い層で地下水流れが期待されている地域において、浅層に単位深さ当たりの採熱量が大きく期待できるスパイラル型熱交換器などの集中採熱型地中熱交換器を設置する場合に、地下水流速が低下する時期に地下水流速を人工的に増大させて熱交換能力不足を解消するのに好適なものである。
【００２３】
図１に示すように、上層から下層に向かって順に第一帯水層１、第一不透水層１Ａ、第二帯水層２、第二不透水層２Ａ、第三帯水層３、第三不透水層３Ａで構成される地層において、地中熱ヒートポンプシステムに備わる地中熱交換器１０が最上層の第一帯水層１（帯水層）に埋設配置されている。
【００２４】
第一帯水層１、第二帯水層２、第三帯水層３は、地下水によって飽和している透水性の地層である。第一不透水層１Ａ、第二不透水層２Ａ、第三不透水層３Ａは、透水性の極めて小さい地層であり、例えば未固結の粘土、シルト層、固結した割れ目のない岩盤などにより構成される。
【００２５】
地中熱交換器１０は、スパイラル型の熱交換器により構成される。より具体的には、地中熱交換器１０は、合成樹脂製あるいは金属製等で螺旋状に形成され、内部を水や不凍液などの冷媒が流れる螺旋状流路１０ａと、螺旋状流路１０ａの下端に図示しない連結部材を介して接続し、螺旋状流路の螺旋軸方向と略平行に螺旋軸空間内に合成樹脂製あるいは金属製等で直管状に配設された直管状流路１０ｂとで形成される。この地中熱交換器１０は、第一帯水層１に掘削形成されたボアホール１０ｃ内に埋設される。ボアホール１０ｃ内は、地下水が流動できるように図示しない透水性の充てん材で充てんされている。なお、本実施の形態では、地中熱交換器１０が１本の場合を例にとり説明するが、２本以上の地中熱交換器１０を第一帯水層１に並列配置してもよい。
【００２６】
本発明に係る地中熱交換器の採熱量増強装置１００は、地中熱交換器１０の採熱量を増強する装置である。この採熱量増強装置１００は、地中熱交換器１０が埋設されている第一帯水層１から取水する揚水井１２（第一取水手段）と、揚水井１２で取水した水を第一帯水層１よりも下側にある第二帯水層２に還元する還元井１４（第一還元手段）とを有する。
【００２７】
揚水井１２の下端は、第一帯水層１内（例えば第一帯水層１の深さ方向略中央位置）に位置している。第一帯水層１の水は揚水井１２内の下端に設けた図示しない揚水ポンプなどにより揚水され、地上に設けた配管２０を介して還元井１４側に送られるようになっている。
【００２８】
還元井１４の下端は、第二帯水層２内（例えば第二帯水層２の上部位置）に位置している。配管２０からの水は図示しない送水ポンプなどにより還元井１４の下端を通じて第二帯水層２に圧送されるようになっている。
【００２９】
また、本発明の採熱量増強装置１００は、第一帯水層１から取水した水量相当の水を第二帯水層２よりも下側にある第三帯水層３から取水する揚水井１６（第二取水手段）と、揚水井１６で取水した水を第一帯水層１に還元（注水）する還元井１８（第二還元手段）とをさらに有する。
【００３０】
揚水井１６の下端は、第三帯水層３内（例えば第三帯水層３の深さ方向略中央位置）に位置している。第三帯水層３の水は揚水井１６内の下端に設けた図示しない揚水ポンプなどにより揚水され、地上に設けた配管２２を介して還元井１８側に送られるようになっている。
【００３１】
還元井１８の下端は、第一帯水層１内（例えば第一帯水層１の深さ方向略中央位置）に位置している。配管２２からの水は図示しない送水ポンプなどにより還元井１８の下端を通じて第一帯水層１に圧送されるようになっている。
【００３２】
揚水井１２および還元井１８は、この間に横方向の地下水流を形成する観点から地中熱交換器１０を左右側方から挟む位置に配置することが好ましく、平面視で揚水井１２と還元井１８とを繋ぐ線分上に地中熱交換器１０が位置するように配置することがより好ましい。
【００３３】
上記の構成において、地中熱交換器１０が埋設されている第一帯水層１ではない層（第三帯水層３）から取水し、取水した水を第一帯水層１に注水することで、第一帯水層１の還元井１８の下端から揚水井１２の下端の間に人工的な地下水流Ｆを形成することができる。この人工的に作り出された地下水流Ｆによって地中熱交換器１０の周囲の地下流速が増大するので、地中熱交換器１０による採熱量を、地中熱ヒートポンプシステムの導入後に事後的に増強することができるという効果を奏する。
【００３４】
また、上記の構成によれば、揚水井１２で汲み上げたものを直接、第一帯水層１に注水しないので、地中熱交換器１０による熱交換によって温度上昇した（または温度低下した）地下水を第一帯水層１に戻すことによる熱交換量の低下を生じさせるおそれはない。
【００３５】
また、上記の構成によれば、第三帯水層３の安定した温度、水質の水を第一帯水層１に還元することで第一帯水層１の温度、水質を安定的に維持することができるという効果を奏する。
【００３６】
また、従来の地中熱ヒートポンプシステムでは、熱交換量が時期的に変動することが計画に反映されていない場合が多く、さらに、供用開始後に容量不足などの支障をきたしても有効な対応策がとられないことが多かった。しかしながら、本発明によれば、熱交換能力（採熱量）の低下したクローズドタイプの地中熱交換器の熱交換能力を後から増強させることが可能であるため、地下水流速が低下する時期に起こる容量不足などに有効に対処することができる。
【００３７】
例えば、熱交換能力不足が判明した既設の地中熱ヒートポンプシステムや、何らかの原因で年数が経過した後に熱交換能力が低下した場合の対策として、揚水井１２、還元井１４、揚水井１６、還元井１８を後から施工することで対処可能である。
【００３８】
なお、上記の実施の形態において、揚水井１２以外の還元井１４、揚水井１６、還元井１８を一つの掘削孔で施工してもよい。この場合、掘削孔の第一帯水層１の位置に、配管２２からの水を周囲に圧送するための設備を設ける。また、掘削孔の第二帯水層２の位置に、配管２０からの水を周囲に圧送するための設備を設ける。さらに、掘削孔の第三帯水層３の位置に、第三帯水層３の水を配管２２に送り出すための揚水ポンプなどの設備を設ける。このようにすれば、掘削孔施工に掛かる工事コストの削減が可能となる。
【００３９】
また、本発明は、地中熱ヒートポンプシステムの新設時における地中熱交換器１０による採熱量を増強する方策としても適用可能である。また、新設時に地中熱交換器１０の設置本数を最小化して、本数が不足した時に本発明によって対応することも可能である。
【００４０】
なお、本発明に係る揚水井１２、揚水井１６、還元井１４、還元井１８は、地下水流速が低下する渇水時期の期間のみ、さらに一日の間でも地中熱交換器１０の周囲の温度上昇（または温度低下）が無視し得ない場合にのみ稼働させることが好ましい。このようにすれば、地下水の水質に与える影響を非常に少なくすることができる。
【００４１】
なお、第一帯水層１に地下水が豊富な場合には、生活用水に井戸を利用している場合が多く、一般的にオープンタイプの地中熱ヒートポンプシステムの導入は地域住民にとって受け入れづらいものである。しかしながら、本発明によれば、井戸への影響を最小限にできるため、このような地域でも、クローズドタイプの地中熱ヒートポンプシステムの導入の理解が得られやすいと考えられる。
【００４２】
以上説明したように、本発明に係る地中熱交換器の採熱量増強方法によれば、地中熱ヒートポンプシステムに備わる地中熱交換器の採熱量を増強する方法であって、地中熱交換器が埋設されている帯水層ではない層から取水し、取水した水を前記帯水層に注水するので、地中熱交換器が埋設されている帯水層に人工的な地下水流を形成することができる。これにより、地中熱交換器による採熱量を事後的に増強することができる。また、地中熱交換器による熱交換によって温度上昇した（または温度低下した）地下水を取水して、これを地中熱交換器が埋設されている帯水層に還流させるものではないので、熱交換量の低下を生じさせるおそれはない。
【００４３】
また、本発明に係る他の地中熱交換器の採熱量増強方法によれば、地中熱ヒートポンプシステムに備わる地中熱交換器の採熱量を増強する方法であって、地中熱交換器が埋設されている第一帯水層から取水し、取水した水を第一帯水層よりも下側にある第二帯水層に還元する一方、第一帯水層から取水した水量相当の水を第二帯水層よりも下側にある第三帯水層から揚水し、第一帯水層に還元するので、地中熱交換器が埋設されている第一帯水層に人工的な地下水流を形成することができる。これにより、地中熱交換器による採熱量を事後的に増強することができる。また、第三帯水層の安定した温度、水質の水を第一帯水層に還元することで第一帯水層の温度、水質を安定したものにすることができる。
【００４４】
また、本発明に係る地中熱交換器の採熱量増強装置によれば、地中熱ヒートポンプシステムに備わる地中熱交換器の採熱量を増強する装置であって、地中熱交換器が埋設されている帯水層ではない層から取水する手段と、取水した水を前記帯水層に注水する手段とを有するので、地中熱交換器が埋設されている帯水層に人工的な地下水流を形成することができる。これにより、地中熱交換器による採熱量を事後的に増強することができる。また、地中熱交換器による熱交換によって温度上昇した（または温度低下した）地下水を取水して、これを地中熱交換器が埋設されている帯水層に還流させるものではないので、熱交換量の低下を生じさせるおそれはない。
【００４５】
また、本発明に係る他の地中熱交換器の採熱量増強装置によれば、地中熱ヒートポンプシステムに備わる地中熱交換器の採熱量を増強する装置であって、地中熱交換器が埋設されている第一帯水層から取水する第一取水手段と、第一取水手段で取水した水を第一帯水層よりも下側にある第二帯水層に還元する第一還元手段と、第一帯水層から取水した水量相当の水を第二帯水層よりも下側にある第三帯水層から取水する第二取水手段と、第二取水手段で取水した水を第一帯水層に還元する第二還元手段とを有するので、地中熱交換器が埋設されている第一帯水層に人工的な地下水流を形成することができる。これにより、地中熱交換器による採熱量を事後的に増強することができる。また、第三帯水層の安定した温度、水質の水を第一帯水層に還元することで第一帯水層の温度、水質を安定したものにすることができる。
【産業上の利用可能性】
【００４６】
以上のように、本発明に係る地中熱交換器の採熱量増強方法および装置は、地中から熱を取り出すクローズドタイプの地中熱ヒートポンプシステムに用いられるボアホール方式の地中熱交換器に有用であり、特に、地盤の浅い層で地下水流れが期待されている地域において、浅層に単位深さ当たりの採熱量が大きく期待できるスパイラル型熱交換器などの集中採熱型地中熱交換器を設置する場合に、地下水流速が低下する時期に地下水流速を人工的に増大させて熱交換能力不足を解消するのに適している。
【符号の説明】
【００４７】
１  第一帯水層（帯水層）
１Ａ  第一不透水層
２  第二帯水層
２Ａ  第二不透水層
３  第三帯水層
３Ａ  第三不透水層
１０  地中熱交換器
１２  揚水井（第一取水手段）
１４  還元井（第一還元手段）
１６  揚水井（第二取水手段）
１８  還元井（第二還元手段）
２０，２２  配管
１００  地中熱交換器の採熱量増強装置
Ｆ  地下水流
【図１】
2015218935.tif 000003